【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
（a）３，６−ジメチル−３Ｈ−１−ベンゾフラン−２−オンおよび
（b）化粧品として許容可能な担体
を含むまたはこれらからなるフレグランス組成物。
【請求項２】
成分（c）として、成分（a）とは異なる少なくとも１つの追加のフレグランス化合物をさらに含む、請求項１に記載の組成物。
【請求項３】
ココナツフレーバを提供する、請求項１に記載の組成物。
【請求項４】
クマリンフレーバを提供する、請求項１に記載の組成物。
【請求項５】
クマリンを含まない、請求項１に記載の組成物。
【請求項６】
前記３，６−ジメチル−３Ｈ−１−ベンゾフラン−２−オンを約０．０５〜約１５重量％の量で含む、請求項１に記載の組成物。
【請求項７】
前記担体が、水、エタノール、プロパノール、イソプロピルアルコール、ブタノール、エチレングリコール、ジエチレングリコール、プロピレングリコール、ジプロピレングリコール、グリセロールおよびその混合物からなる群から選択される、請求項１に記載の組成物。
【請求項８】
前記追加のフレグランス化合物が、花（ユリ、ラベンダー、バラ、ジャスミン、ネロリ、イランイラン）、茎および葉（ゼラニウム、パチョリ、プチグレン）、果実（アニス、コリアンダー、キャラウェイ、ビャクシン）、果皮（ベルガモット、レモン、オレンジ）、根（ナツメグ、アンゼリカ、セロリ、カルダモン、コスタス、アヤメ、カルマス）、木（マツ、ビャクダン、グアヤク、シダー、シタン）、ハーブおよび草（タラゴン、レモングラス、セージ、タイム）、針葉および枝（トウヒ、モミ、マツ、わい性マツ）、樹脂およびバルサム（ガルバナム、エレミ、ベンゾイン、ミルラ、オリバナム、オポパナクス）の抽出物、メロナール、トリプラール、リグストラール（ligustral）、アドキサール、アニスアルデヒド、シマル（cymal）、エチルバニリン、フロルヒドラル（florhydral）、フロラロゾン（floralozon）、ヘリオナール、ヘリオトロピン、ヒドロキシシトロネラール、コアボン（koavon）、ラウリンアルデヒド、カントキサール、リラール（lyral）、リリアール、アドキサール、アニスアルデヒド、クマール（cumal）、メチル−ノニル−アセトアルデヒド、シトロネラール、シトロネリルオキシ−アセトアルデヒド、シクラメンアルデヒド、ブルゲオナール、p−tert−ブシナール、フェニルアセトアルデヒド、ウンデシレンアルデヒド、バニリン；２，６，１０−トリメチル−９−ウンデセナール、３−ドデセン−I−アール、α−n−アミルシンナムアルデヒド（Amylzimtaldehyde）、４−メトキシベンズアルデヒド、ベンズアルデヒド、３−（４−tert−ブチルフェニル）−プロパナール、２−メチル−３−（パラ−メトキシ−フェニルプロパナール）、２−メチル−４−（２，６，６−トリメチル−２（１）−シクロヘキセン−１−イル）ブタナール、３−フェニル−２−プロペナール、シス／トランス−３，７−ジメチル−２，６−オクタジエン−l−アール、３，７−ジメチル−６−オクテン−１−アール、［（３，７−ジメチル−６−オクテニル）−キシ（xy）］−セトアルデヒド（cetaldehyde）、４−イソプロピルベンジルアルデヒド、１，２，３，４，５，６，７，８−オクタヒドロ−８，８−ジメチル−２−ナフトアルデヒド、２，４−ジメチル−３−シクロヘキセン−１−カルボキシアルデヒド、２−メチル−３−（イソプロピル−フェニル）プロパナール、デシルアルデヒド、２，６−ジメチル−５−ヘプテナール；４−（トリシクロ［５．２．１．０（２，６）］−デシリデン−８）−ブタナール；オクタヒドロ−４，７−メタノ−IH−インデンカルボキシアルデヒド；３−エトキシ−４−ヒドロキシベンズアルデヒド、パラ−エチル−α，α−ジメチルヒドロシンナムアルデヒド（hydrozimtaldehyde）、α−メチル−３，４−（メチレンジオキシ）−ヒドロシンナムアルデヒド、３，４−メチレンジオキシベンズアルデヒド、α−n−ヘキシルシンナムアルデヒド、m−シメン−７−カルボキシアルデヒド、α−メチルフェニルアセトアルデヒド、７−ヒドロキシ−３，７−ジメチルオクタナール、ウンデセナール、２，４，６−トリメチル−３−シクロヘキセン−１−カルボキシアルデヒド、４−（３）（４−メチル−３−ペンテニル）−３−シクロヘキセンカルボキシアルデヒド、１−ドデカナール、２，４−ジメチル−��クロヘキセン−３−カルボキシアルデヒド、４−（４−ヒドロキシ−４−メチルペンチル）−３−シクロヘキセン−１−カルボキシアルデヒド、７−メトキシ−３，７−ジメチルオクタン−１−アール、２−メチルウンデカナール、２−メチルデカナール、１−ノナナール、１−オクタナール、２，６，１０−トリメチル−５，９−ウンデカジエナール、２−メチル−３−（４−tertブチル）プロパナール、３−（４−エチルフェニル）−２，２−ジメチルプロパナール、３−（４−メトキシフェニル）−２−メチルプロパナール、メチルノニルアセトアルデヒド、２−フェニルプロパン−１−アール、３−フェニルプロパ−２−エン−１−アール、３−フェニル−２−ペンチルプロパ−２−エン−１−アール、３−フェニル−２−ヘキシルプロパ−２−エナール、３−（４−イソプロピルフェニル）−２−メチルプロパン−１−アール、３−（４−エチルフェニル）−２，２−ジメチルプロパン−１−アール、３−（４−tert−ブチルフェニル）−２−メチル−プロパナール、３−（３，４−メチレンジオキシ−フェニル）−２−メチルプロパン−１−アール、３−（４−エチルフェニル）−２，２−ジメチルプロパナール、３−（３−イソプロピルフェニル）−ブタン−１−アール、２，６−ジメチルヘプタ−５−エン−１−アール、ジヒドロシンナムアルデヒド（Dihydrozimtaldehyde）、１−メチル−４−（４−メチル−３−ペンテニル）−３−シクロヘキセン−１−カルボキシアルデヒド、５−または６−メトキシヘキサヒドロ−４，７−メタノインダン−１または２−カルボキシアルデヒド、３，７−ジメチルオクタン−１−アール、１−ウンデカナール、１０−ウンデセン−１−アール、４−ヒドロキシ−３−メトキシベンズアルデヒド、１−メチル−３−（４−メチルペンチル）−３−シクロヘキセンカルボキシアルデヒド、７−ヒドロキシ−３，７−ジメチル−オクタナール；トランス−４−デセナール、２，６−ノナジエナール、p−トリルアセトアルデヒド；４−メチルフェニルアセトアルデヒド、２−メチル−４−（２，６，６−トリメチル−１−シクロヘキセン−１−イル）−２−ブテナール、o−メトキシシンナムアルデヒド（zimtaldehyde）、３，５，６−トリメチル−３−シクロヘキセンカルボキシアルデヒド、３，７−ジメチル−２−メチレン−６−オクテナール、フェノキシアセトアルデヒド；５，９−ジメチル−４，８−デカジエナール、ペオニーアルデヒド（peony aldehyde）（６，１０−ジメチル−３−オキサ−５，９−ウンデカジエン−１−アール）、ヘキサヒドロ−４，７−メタノインダン−１−カルボキシアルデヒド、オクタナール、２−メチルオクタナール、α−メチル−４−（１−メチルエチル）ベンゼン−アセトアルデヒド、６，６−ジメチル−２−ノルピネン−２−プロピオンアルデヒド、p−メチルフェノキシアセトアルデヒド、２−メチル−３−フェニル−２−プロペン−１−アール、３，５，５−トリメチルヘキサナール、ヘキサヒドロ−８，８−ジメチル−２−ナフトアルデヒド、３−プロピル−ビシクロ［２．２．１］−ヘプタ−５−エン−２−カルボアルデヒド、９−デセナール、３−メチル−５−フェニル−１−ペンタナール、メチルノニルアセトアルデヒド、１−p−メンテン−q��カルボキシアルデヒド、シトラールまたはその混合物、リリアールシトラール、１−デカナール、n−ウンデカナール、n−ドデカナール、フロリドラル（hlorhydral）、２，４−ジメチル−３−シクロヘキセン−１−カルボキシアルデヒド４−メトキシベンズアルデヒド、３−メトキシ−４−ヒドロキシ−ベンズアルデヒド、３−エトキシ−４−ヒドロキシベンズアルデヒド、３，４−メチレンジオキシベンズアルデヒド、３，４−ジメトキシベンズアルデヒド、ブッコキシム、イソジャスモン、メチルβナフチルケトン、モスカスインダノン、トリアリド／モスカスプラス、α−ダマスコン、β−ダマスコン、δ−ダマスコン、イソ−ダマスコン、ダマスセノン、ダマロース、メチルジヒドロジャスモネート、メントン、カルボン、カンファー、フェンコン、アロファロネン、β−イオノン（iononw）、ジヒドロ−β−イオノン、γ−メチルイオノン、フルラモン（fleuramone）、ジヒドロジャスモン、シスジャスモン、イソ−E−スーパー、メチルセドレニルケトンまたはメチルセドリロン（cedrylon）、アセトフェノン、メチルアセトフェノン、p−メトキシアセトフェノン、メチル−β−ナフチルケトン、ベンジルアセトン、ベンゾフェノン、p−ヒドロキシフェニルブタノン、セロリケトンまたはリブスコン（livescon）、６−イソプロピルデカヒドロ−２ナフトン（６−osopropyl−deca−hydro−２−naphtone）、ジメチルオクテノン、フレスコメンテ（freskomenth）、４−（１−エトキシビニル）−３，３，５，５−テトラメチルシクロヘキサノン、メチルヘプテノン、２−（２−（４−メチル−３−シクロヘキセン−１−イル）プロピル）−シクロペンタノン、１−（p−メンテン−６（２）−イル）−１−プロパノン、４−（４−ヒドロキシ−３−メトキシフェニル）−２−ブタノン、２−アセチル−３，３−ジ−メチル−ノルボルナン、６，７−ジヒドロ−１，１，２，３，３−ペンタメチル−４（５H）−インダノン、４−ダマスコール、ダルシニル（dulcinyl）またはカシオン（cassione）、ゲルソン（gelsone）、ヘキサロン（hexalone）、イソシクレモン（isocyclemone）E、メチルシクロシトロン、メチルラベンダケトン、オリボン（orivone）、p−tert−ブチルシクロヘキサノン、ベルドン（verdone）、デルフォン（delphone）、ムスコン、ネオブテノン、プリカトン（plicatone）、ベロウトン（veloutone）、２，４，４，７−テトラメチル−オクタ−６−エン−３−オン、テトラメラン（tetrameran）、ヘジオンおよびそれらの混合物からなる群から選択される、請求項２に記載の組成物。
【請求項９】
請求項１に記載の組成物であって、
前記担体と合計で１００重量％までの量であることを条件に、
（i）約１〜約１２重量％の３，６−ジメチル−３Ｈ−１−ベンゾフラン−２−オン、
（ii）約１〜約１５重量％の少なくとも１つの追加のフレグランス化合物、を含む、請求項１に記載の組成物。
【請求項１０】
請求項１に記載のフレグランス組成物を含む化粧品組成物。
【請求項１１】
請求項１に記載のフレグランス組成物を含むパーソナルケア組成物。
【請求項１２】
請求項１に記載のフレグランス組成物を含む洗剤組成物。
【請求項１３】
基材にココナツフレーバを提供する方法であって、以下の工程を包含する、方法：
（i）基材を提供する工程、および
（ii）前記基材を請求項１に記載のフレグランス組成物と接触させる工程。
【請求項１４】
前記基材が、ヒトの皮膚、硬質表面または繊維製品である、請求項１３に記載の方法。
【請求項１５】
クマリンを置換するためのフレグランスとしての３，６−ジメチル−３Ｈ−１−ベンゾフラン−２−オンの使用。
【手続補正２】
【補正対象書類名】明細書
【補正対象項目名】０２１６
【補正方法】変更
【補正の内容】
【０２１６】
最後に、本発明の別の目的は、クマリンの代わりに３，６−ジメチル−３Ｈ−１−ベンゾフラン−２−オンをフレグランスとして使用することである。
本明細書の当初の開示は、少なくとも下記の態様を包含する。
〔１〕  （a）３，６−ジメチル−３Ｈ−１−ベンゾフラン−２−オンおよび
（b）化粧品として許容可能な担体
を含むまたはこれらからなるフレグランス組成物。
〔２〕成分（c）として、成分（a）とは異なる少なくとも１つの追加のフレグランス化合物をさらに含む、〔１〕に記載の組成物。
〔３〕ココナツフレーバを提供する、〔１〕に記載の組成物。
〔４〕クマリンフレーバを提供する、〔１〕に記載の組成物。
〔５〕クマリンを含まない、〔１〕に記載の組成物。
〔６〕前記３，６−ジメチル−３Ｈ−１−ベンゾフラン−２−オンを約０．０５〜約１５重量％の量で含む、〔１〕に記載の組成物。
〔７〕前記担体が、水、エタノール、プロパノール、イソプロピルアルコール、ブタノール、エチレングリコール、ジエチレングリコール、プロピレングリコール、ジプロピレングリコール、グリセロールおよびその混合物からなる群から選択される、〔１〕に記載の組成物。
〔８〕前記追加のフレグランス化合物が、花（ユリ、ラベンダー、バラ、ジャスミン、ネロリ、イランイラン）、茎および葉（ゼラニウム、パチョリ、プチグレン）、果実（アニス、コリアンダー、キャラウェイ、ビャクシン）、果皮（ベルガモット、レモン、オレンジ）、根（ナツメグ、アンゼリカ、セロリ、カルダモン、コスタス、アヤメ、カルマス）、木（マツ、ビャクダン、グアヤク、シダー、シタン）、ハーブおよび草（タラゴン、レモングラス、セージ、タイム）、針葉および枝（トウヒ、モミ、マツ、わい性マツ）、樹脂およびバルサム（ガルバナム、エレミ、ベンゾイン、ミルラ、オリバナム、オポパナクス）の抽出物、メロナール、トリプラール、リグストラール（ligustral）、アドキサール、アニスアルデヒド、シマル（cymal）、エチルバニリン、フロルヒドラル（florhydral）、フロラロゾン（floralozon）、ヘリオナール、ヘリオトロピン、ヒドロキシシトロネラール、コアボン（koavon）、ラウリンアルデヒド、カントキサール、リラール（lyral）、リリアール、アドキサール、アニスアルデヒド、クマール（cumal）、メチル−ノニル−アセトアルデヒド、シトロネラール、シトロネリルオキシ−アセトアルデヒド、シクラメンアルデヒド、ブルゲオナール、p−tert−ブシナール、フェニルアセトアルデヒド、ウンデシレンアルデヒド、バニリン；２，６，１０−トリメチル−９−ウンデセナール、３−ドデセン−I−アール、α−n−アミルシンナムアルデヒド（Amylzimtaldehyde）、４−メトキシベンズアルデヒド、ベンズアルデヒド、３−（４−tert−ブチルフェニル）−プロパナール、２−メチル−３−（パラ−メトキシ−フェニルプロパナール）、２−メチル−４−（２，６，６−トリメチル−２（１）−シクロヘキセン−１−イル）ブタナール、３−フェニル−２−プロペナール、シス／トランス−３，７−ジメチル−２，６−オクタジエン−l−アール、３，７−ジメチル−６−オクテン−１−アール、［（３，７−ジメチル−６−オクテニル）−キシ（xy）］−セトアルデヒド（cetaldehyde）、４−イソプロピルベンジルアルデヒド、１，２，３，４，５，６，７，８−オクタヒドロ−８，８−ジメチル−２−ナフトアルデヒド、２，４−ジメチル−３−シクロヘキセン−１−カルボキシアルデヒド、２−メチル−３−（イソプロピル−フェニル）プロパナール、デシルアルデヒド、２，６−ジメチル−５−ヘプテナール；４−（トリシクロ［５．２．１．０（２，６）］−デシリデン−８）−ブタナール；オクタヒドロ−４，７−メタノ−IH−インデンカルボキシアルデヒド；３−エトキシ−４−ヒドロキシベンズアルデヒド、パラ−エチル−α，α−ジメチルヒドロシンナムアルデヒド（hydrozimtaldehyde）、α−メチル−３，４−（メチレンジオキシ）−ヒドロシンナムアルデヒド、３，４−メチレンジオキシベンズアルデヒド、α−n−ヘキシルシンナムアルデヒド、m−シメン−７−カルボキシアルデヒド、α−メチルフェニルアセトアルデヒド、７−ヒドロキシ−３，７−ジメチルオクタナール、ウンデセナール、２，４，６−トリメチル−３−シクロヘキセン−１−カルボキシアルデヒド、４−（３）（４−メチル−３−ペンテニル）−３−シクロヘキセンカルボキシアルデヒド、１−ドデカナール、２，４−ジメ��ル−シクロヘキセン−３−カルボキシアルデヒド、４−（４−ヒドロキシ−４−メチルペンチル）−３−シクロヘキセン−１−カルボキシアルデヒド、７−メトキシ−３，７−ジメチルオクタン−１−アール、２−メチルウンデカナール、２−メチルデカナール、１−ノナナール、１−オクタナール、２，６，１０−トリメチル−５，９−ウンデカジエナール、２−メチル−３−（４−tertブチル）プロパナール、３−（４−エチルフェニル）−２，２−ジメチルプロパナール、３−（４−メトキシフェニル）−２−メチルプロパナール、メチルノニルアセトアルデヒド、２−フェニルプロパン−１−アール、３−フェニルプロパ−２−エン−１−アール、３−フェニル−２−ペンチルプロパ−２−エン−１−アール、３−フェニル−２−ヘキシルプロパ−２−エナール、３−（４−イソプロピルフェニル）−２−メチルプロパン−１−アール、３−（４−エチルフェニル）−２，２−ジメチルプロパン−１−アール、３−（４−tert−ブチルフェニル）−２−メチル−プロパナール、３−（３，４−メチレンジオキシ−フェニル）−２−メチルプロパン−１−アール、３−（４−エチルフェニル）−２，２−ジメチルプロパナール、３−（３−イソプロピルフェニル）−ブタン−１−アール、２，６−ジメチルヘプタ−５−エン−１−アール、ジヒドロシンナムアルデヒド（Dihydrozimtaldehyde）、１−メチル−４−（４−メチル−３−ペンテニル）−３−シクロヘキセン−１−カルボキシアルデヒド、５−または６−メトキシヘキサヒドロ−４，７−メタノインダン−１または２−カルボキシアルデヒド、３，７−ジメチルオクタン−１−アール、１−ウンデカナール、１０−ウンデセン−１−アール、４−ヒドロキシ−３−メトキシベンズアルデヒド、１−メチル−３−（４−メチルペンチル）−３−シクロヘキセンカルボキシアルデヒド、７−ヒドロキシ−３，７−ジメチル−オクタナール；トランス−４−デセナール、２，６−ノナジエナール、p−トリルアセトアルデヒド；４−メチルフェニルアセトアルデヒド、２−メチル−４−（２，６，６−トリメチル−１−シクロヘキセン−１−イル）−２−ブテナール、o−メトキシシンナムアルデヒド（zimtaldehyde）、３，５，６−トリメチル−３−シクロヘキセンカルボキシアルデヒド、３，７−ジメチル−２−メチレン−６−オクテナール、フェノキシアセトアルデヒド；５，９−ジメチル−４，８−デカジエナール、ペオニーアルデヒド（peony al
dehyde）（６，１０−ジメチル−３−オキサ−５，９−ウンデカジエン−１−アール）、ヘキサヒドロ−４，７−メタノインダン−１−カルボキシアルデヒド、オクタナール、２−メチルオクタナール、α−メチル−４−（１−メチルエチル）ベンゼン−アセトアルデヒド、６，６−ジメチル−２−ノルピネン−２−プロピオンアルデヒド、p−メチルフェノキシアセトアルデヒド、２−メチル−３−フェニル−２−プロペン−１−アール、３，５，５−トリメチルヘキサナール、ヘキサヒドロ−８，８−ジメチル−２−ナフトアルデヒド、３−プロピル−ビシクロ［２．２．１］−ヘプタ−５−エン−２−カルボアルデヒド、９−デセナール、３−メチル−５−フェニル−１−ペンタナール、メチルノニルアセトアルデヒド、１−p−メンテン−q−カルボキシアルデヒド、シトラールまたはその混合物、リリアールシトラール、１−デカナール、n−ウンデカナール、n−ドデカナール、フロリドラル（hlorhydral）、２，４−ジメチル−３−シクロヘキセン−１−カルボキシアルデヒド４−メトキシベンズアルデヒド、３−メトキシ−４−ヒドロキシ−ベンズアルデヒド、３−エトキシ−４−ヒドロキシベンズアルデヒド、３，４−メチレンジオキシベンズアルデヒド、３，４−ジメトキシベンズアルデヒド、ブッコキシム、イソジャスモン、メチルβナフチルケトン、モスカスインダノン、トリアリド／モスカスプラス、α−ダマスコン、β−ダマスコン、δ−ダマスコン、イソ−ダマスコン、ダマスセノン、ダマロース、メチルジヒドロジャスモネート、メントン、カルボン、カンファー、フェンコン、アロファロネン、β−イオノン（iononw）、ジヒドロ−β−イオノン、γ−メチルイオノン、フルラモン（fleuramone）、ジヒドロジャスモン、シスジャスモン、イソ−E−スーパー、メチルセドレニルケトンまたはメチルセドリロン（cedrylon）、アセトフェノン、メチルアセトフェノン、p−メトキシアセトフェノン、メチル−β−ナフチルケトン、ベンジルアセトン、ベンゾフェノン、p−ヒドロキシフェニルブタノン、セロリケトンまたはリブスコン（livescon）、６−イソプロピルデカヒドロ−２ナフトン（６−osopropyl−deca−hydro−２−naphtone）、ジメチルオクテノン、フレスコメンテ（freskomenth）、４−（１−エトキシビニル）−３，３，５，５−テトラメチルシクロヘキサノン、メチルヘプテノン、２−（２−（４−メチル−３−シクロヘキセン−１−イル）プロピル）−シクロペンタノン、１−（p−メンテン−６（２）−イル）−１−プロパノン、４−（４−ヒドロキシ−３−メトキシフェニル）−２−ブタノン、２−アセチル−３，３−ジ−メチル−ノルボルナン、６，７−ジヒドロ−１，１，２，３，３−ペンタメチル−４（５H）−インダノン、４−ダマスコール、ダルシニル（dulcinyl）またはカシオン（cassione）、ゲルソン（gelsone）、ヘキサロン（hexalone）、イソシクレモン（isocyclemone）E、メチルシクロシトロン、メチルラベンダケトン、オリボン（orivone）、p−tert−ブチルシクロヘキサノン、ベルドン（verdone）、デルフォン（delphone）、ムスコン、ネオブテノン、プリカトン（plicatone）、ベロウトン（veloutone）、２，４，４，７−テトラメチル−オクタ−６−エン−３−オン、テトラメラン（tetrameran）、ヘジオンおよびそれらの混���物からなる群から選択される、〔２〕に記載の組成物。好ましいケトンは、α−ダマスコン、δ−ダマスコン、イソ−ダマスコン、カルボン、γ−メチルイオノン、イソ−E−スーパー、２，４，４，７−テトラメチル−オクタ−６−エン−３−オン、ベンジルアセトン、β−ダマスコン、ダマセノン、メチルジヒドロジャスモネート、メチルセドリロン、ヘジオン、１０−ウンデセン−１−オール、２，６−ジメチルヘプタン−２−オール、２−メチルブタノール、２−メチルペンタノール、２−フェノキシエタノール、２−フェニルプロパノール、２−tert−ブチルシクロヘキサノール、３，５，５−トリメチルシクロヘキサノール、３−ヘキサノール、３−メチル−５−フェニルペンタノール、３−オクタノール、１−オクテン−３−オール、３−フェニルプロパノール、４−ヘプテノール、４−イソプロピルシクロヘキサノール、４−tert−ブチル（buty）シクロヘキサノール、６，８−ジメチル−２−ノナノール、６−ノネン−１−オール、９−デセン−１−オール、α−メチルベンジルアルコール、α−テルピネオール、アミルサリチレート（amylsalicylat）、ベンジルアルコール、ベンジルサリチレート、β−テルピネオール、ブチルサリチレート、シトロネロール、シクロヘキシルサリチレート、デカノール、ジヒドロミルセノール、ジメチルベンジルカルビノール、ジメチルヘプタノール、ジメチルオクタノール、エチルサリチレート、エチルバニリン、アネトール、オイゲノール、ゲラニオール、ヘプタノール、ヘキシルサリチレート（hexyl salicylat）、イソボルネオール、イソオイゲノール、イソプレゴール、リナロール、メントール、ミルテノール、n−ヘキサノール、ネロール、ノナノール、オクタノール、パラメンタン−７−オール、フェニルエチルアルコール、フェノール、フェニルサリチレート（phenyl salicylat）、テトラヒドロゲラニオール、テトラヒドロリナロール、チモール、トランス−２−シス−６−ノナジエノール、トランス−２−ノネン−１−オール、トランス−２−オクテノール、ウンデカノール、バニリン、シンナムアルコール（cinnamalcohol）、ベンジルアセテート、フェノキシイソブチレート、p−tert．−ブチルシクロヘキシルアセテート、リナリルアセテート、ジメチルベンジルカルビニルアセテート（DMBCA）、フェニルエチルアセテート、ベンジルアセテート、エチルメチルフェニルグリシネート、アリルシクロヘキシルプロピオネート、スチラリルプロピオネート、ベンジルサリチレート、シクロヘキシルサリチレート、フロラマット（floramat）、メラサット（melusat）、ジャスマサイクラタット（jasmacyclatat）、ベンジルエ
チルエーテル、アンボロキサン、リモネン、ピネンおよびそれらの混合物を含む群から選択される。
〔９〕〔１〕に記載の組成物であって、
前記担体と合計で１００重量％までの量であることを条件に、
（i）約１〜約１２重量％の３，６−ジメチル−３Ｈ−１−ベンゾフラン−２−オン、
（ii）約１〜約１５重量％の少なくとも１つの追加のフレグランス化合物、を含む、〔１〕に記載の組成物。
〔１０〕〔１〕に記載のフレグランス組成物を含む化粧品組成物。
〔１１〕〔１〕に記載のフレグランス組成物を含むパーソナルケア組成物。
〔１２〕〔１〕に記載のフレグランス組成物を含む洗剤組成物。
〔１３〕基材にココナツフレーバを提供する方法であって、以下の工程を包含する、方法：
（i）基材を提供する工程、および
（ii）前記基材を〔１〕に記載のフレグランス組成物と接触させる工程。
〔１４〕前記基材が、ヒトの皮膚、硬質表面または繊維製品である、〔１３〕に記載の方法。
〔１５〕クマリンを置換するためのフレグランスとしての３，６−ジメチル−３Ｈ−１−ベンゾフラン−２−オンの使用。